(57)【特許請求の範囲】
【請求項１】
昇降路内で複数本の主索により吊下げられて昇降する乗りかごと、前記昇降路内で前記主索に吊下げられて前記乗りかごと反対向きに昇降する釣合い錘と、前記主索が卷き掛けられたトラクションシープを駆動して前記乗りかごおよび釣合い錘を昇降させる電動機と、一端に前記各主索の端部折り返し部が連結される連結部を有し、他端が前記昇降路の上端部に設けられた懸架部に固定された複数本のシャックルロッドと、前記複数本の主索の端部折り返し部においてこれらを挟持するように対向配置された少なくとも一対の固定板からなる回り止め機構と、この回り止め機構の前記対向配置された一対の固定板の少なくとも一方の内面に前記各主索の端部折り返し部が嵌合するように形成された複数の凹部と、を具備し、前記各主索は複数本のストランド線を撚り合わせてなり、また、前記対向配置された一対の固定板の少なくとも一方の内面に形成された凹部により形成される、前記主索の端部折り返し部が貫通する孔部は、前記主索を横切る断面形状が前記主索の径の略２倍の幅と、前記主索の径よりも小さい高さを有する長円形、長方形であることを特徴とするエレベータ装置。
【請求項２】
前記複数の孔部は、所定の間隔で一列または複数列に亘って並べて設けられる請求項１に記載のエレベータ装置。
【発明の詳細な説明】
【技術分野】
【０００１】
本発明は、乗りかごおよび釣合い錘を懸架する主索の捻れを防止してエレベータの安定な運転を確保し得る主索の回り止め機構を備えたエレベータ装置に関する。
【背景技術】
【０００２】
トラクションシープに巻き掛けられた主索（ロープ）に吊下げられた乗りかごと釣合い錘とを昇降路内に備えたエレベータ装置は、前記トラクションシープを電動機により駆動して前記乗りかごと釣合い錘と逆向きに昇降させるように構成される。主索１の端部は、例えば図６に示すように、その端部を折り返してシャックルロッド２の楔式連結部２ａにそれぞれ連結される。そしてシャックルロッド２は、前記昇降路を形成した建屋、前記乗りかごまたは前記釣合い錘に設けられた懸架部３に弾性体（例えばコイルばね）４を介して取り付けられる。尚、弾性体４は懸架部３へのシャックルロッド４の取り付け位置を軸方向に調整して、主索１に加わる張力を調整する役割を担う（特許文献１,２を参照）。
【先行技術文献】
【特許文献】
【０００３】
【特許文献１】特開２０１１−４２４８１号公報
【特許文献２】特表２００３−５２０１７１号公報
【発明の概要】
【発明が解決しようとする課題】
【０００４】
ところで主索１は、図７に示すように複数の鋼線（素線）１ａを撚って束ねたストランド線１ｂを、更に複数本撚り合わせて構成される。この為、主索１に張力が作用すると、その撚りが解ける向きに自転力が発生し、主索１の端部に連結されて懸架部３に取り付けられたシャックルロッド２に回転力が加わる。シャックルロッド２が回転すると主索１の拠りが次第に解けていく。
【０００５】
この主索１の回転を防止する手段として従来においては、図６に例示するように並列に敷設される複数の主索１の端部にそれぞれ装着された複数のシャックルロッド２の連結部２ａ間に細長い剛体５を貫通させ、或いはシャックルロッド２の先端部に穿いた孔部（図示せず）にワイヤ線６を貫通させ、その回転を相互に拘束することが考えられている。しかし前者の場合、シャックルロッド２がそれぞれ直線状に配列されていることが必要であり、後者の場合には、ワイヤ線６を貫通させる穴の高さがある程度揃っていないと加工ができないという問題があった。しかしシャックルロッド２はそれぞれその主索１間の張力が均等になるように上下に動かして調整するため、実際にはシャックルロッド２の高さ方向の位置はバラバラになることが多く、これを揃えることは困難である。
【０００６】
本発明はこのような事情を考慮してなされたもので、その目的は、シャックルロッドの回転、ひいては主索の捻れを効果的に防止してエレベータの安定な運転を確保し得る簡易な構成の主索の回り止め機構を備えたエレベータ装置を提供することにある。
【課題を解決するための手段】
【０００７】
上述した目的を達成するべく本発明に係るエレベータ装置は、昇降路内で複数本の主索により吊下げられて昇降する乗りかごと、前記昇降路内で前記主索に吊下げられて前記乗りかごと反対向きに昇降する釣合い錘と、前記主索が卷き掛けられたトラクションシープを駆動して前記乗りかごおよび釣合い錘を昇降させる電動機と、一端に前記各主索の端部折り返し部が連結される連結部を有し、他端が前記昇降路の上端部に設けられた懸架部に固定された複数本のシャックルロッドと、前記複数本の主索の端部折り返し部においてこれらを挟持するように対向配置された少なくとも一対の固定板からなる回り止め機構と、この回り止め機構の前記対向配置された一対の固定板の少なくとも一方の内面に前記各主索の端部折り返し部が嵌合するように形成された複数の凹部と、を具備し、前記各主索は複数本のストランド線を撚り合わせてなり、前記対向配置された一対の固定板の少なくとも一方の内面に形成された凹部により形成される、前記主索の端部折り返し部が貫通する孔部は、前記主索を横切る断面形状が前記主索の径の略２倍の幅と、前記主索の径よりも小さい高さを有する長円形、長方形であることを特徴とする。
【０００８】
また、本発明のエレベータ装置においては、前記複数の孔部は、所定の間隔で一列または複数列に亘って並設されることを特徴とする。
【発明の効果】
【０００９】
上記構成によれば、懸架部に取り付けた複数のシャックルロッドの高さ位置が揃っていなくても、前記構成の固定板を前記主索の本体部と該主索の前記シャックルロッドからの折り返し端部とが重なる部位に装着することで、シャックルロッドの回転を防止することができ、これによって主索の捻じれ（撚り戻し）を簡易に、しかも効果的に防止することができる。
【図面の簡単な説明】
【００１０】
【図１】本発明の一実施形態に係るエレベータ装置の全体構成を示す斜視図。
【図２】図１に示すエレベータ装置の概略構成を示す模式図。
【図３】図１に示すエレベータ装置に組み込まれる主索の回り止め機構を含む主索の懸架部の様子を示す図。
【図４】図３に示す主索の回り止め機構を示す平面図。
【図５】主索の回り止め機構の他の実施形態を示す図。
【図６】従来一般的な主索の懸架部の様子を示す図。
【図７】主索の構成を示す図。
【発明を実施するための形態】
【００１１】
以下、図面を参照して本発明の一実施形態について説明する。
【００１２】
図１はエレベータ装置の全体構成を示す図で、乗りかご１１は主索１に吊下げられて昇降路内を昇降する。また釣合い錘１２は前記主索１に吊下げられて前記昇降路内を前記乗りかご１１と反対向きに昇降する。前記主索１は、電動機１３により駆動されるトラクションシープ１４に巻き掛けられており、このトラクションシープ１４および電動機１３を含む巻上機１５は、昇降路を形成した建屋の上部に設けられている。具体的には上記巻上機１５は、昇降路内に設けられて乗りかご１１および釣合い錘１２をそれぞれ案内するガイドレール１６、１７の上端に架け渡された梁１８上に設けられている。
【００１３】
そして前記主索１は、図２にエレベータ装置の概略構成を示す模式的に示すようにその一端側を、乗りかご１１の下部に設けられた一対のかご下部シープ１１ａ、１１ｂを介して昇降路の上部に設けられた懸架部（ヒッチ部）１９ａに固定され、また前記主索１の他端側は、釣合い錘１３の上部に設けられた一対の錘上部シープ１２ａ、１２ｂを介して前記昇降路の上部に設けられた懸架部（ヒッチ部）１９ｂに固定されている。換言すれば乗りかご１１および釣合い錘１２は、昇降路の上部の懸架部（ヒッチ部）１９ａ、１９ｂに両端を固定し、その中間部をトラクションシープ１４に巻き掛けた主索１の両側にそれぞれ懸架されており、トラクションシープ１４の回転に伴って昇降路内を互いに逆向きに昇降する。
【００１４】
尚、一対のそらせシープ２０ａ、２０ｂは、前記主索１の走行経路をＳ字状に曲げて前記巻上機１５（トラクションシープ１４）の側方に変位させて乗りかご１１の懸架位置に導く。また図１において、乗りかご１１にはかごドア１１ｃが設けられ、ホールドア２１はエレベータの乗場階に設けられてその出入口を開閉する。
【００１５】
前記主索１の両端部の前記昇降路の上部に設けられた懸架部（ヒッチ部）１９ａ、１９ｂへの固定は、次のようにして行われる。主索１の端部が連結されるシャックルロッド２は、図３に示すように一端にねじを螺設した丸棒状のロッド部２ｂと、ロッド部２ｂの他端部に固定された楔式連結部２ａとを備えている。主索１の端部へのシャックルロッド２の連結は、先ず前記主索１の端部を上記楔式連結部２ａの周面に沿わせて折り返し、その折り返し先端部１ａを主索１の本体部１ｂに重ね合わせる。この状態で、重ね合わせられた２本分の主索１の周囲にワイヤグリップ２３を装着し、ワイヤグリップ２３を絞り込むことで上記折り返し先端部１ａと本体部１ｂとが一体に締結固定され、これによって主索１の端部にシャックルロッド２が連結される。
【００１６】
このようにして主索１の端部に連結したシャックルロッド２は、そのロッド部２ｂを前記昇降路の上部に設けられた懸架部１９ａ（１９ｂ）に形成された貫通孔２４に挿通させ、懸架部１９ａ（１９ｂ）の裏面側において前記ロッド部２ｂの先端に弾性体（例えばコイルばね）４を介してナット２５を螺着することで懸架部１９ａ（１９ｂ）に取り付けられる。この際、ロッド部２ｂへのナット２５の螺合量を変えることでシャックルロッド２の軸方向の取り付け位置（取り付け高さ）が調整され、これによって主索１に加わる張力が調整される。
【００１７】
ところで乗りかご１１および釣合い錘１２を懸架する主索１は、そこに加わる荷重（張力）や主索１の引張り強度によっても異なるが、一般的には複数本並列にして用いられる。図３においては３本の主索１を横並びに一列に配列した例を示しているが、このような配列の後方にさらに一列追加して、全体で６本の主索１を用いることもできる。主索の回り止め機構３０は、主索１の本体部１ｂと該主索１の前記シャックルロッド２からの折り返し先端部１ａとが重なる部位において複数の主索１に跨って装着され、記前記昇降路内における各主索１の回転を拘束する。
【００１８】
図４はこの回り止め機構３０の具体的な構造を示す平面図である。この回り止め機構３０は、例えば３枚の木製の固定板３２を重ね合わせ、それらの端部においてボルト３３とナット３４を用いて一体化した構造を有する。隣接する一対の固定板３２間には複数の孔部３１が形成されている。これらの孔部３１は、前記主索１の径の略２倍の横幅を有し、且つ前記主索１の径よりも僅かに小さい縦幅を有する長円形に形成されている。また複数の孔部３１は、一対の固定板３１の接触面に沿って主索１の配列ピッチに相当する間隔で設けられる。ちなみに図４に示す例では、複数の孔部３１は２列に亘って３個ずつ設けられている。そして前記一対の固定板３２間に設けられる孔部３１は、隣接する固定板３１のそれぞれの面に凹部を形成し、これらの面を接合することにより形成することができる。
【００１９】
尚、孔部３１の形状については、図５(ａ)に示すように長方形状であっても良く、また図５(ｂ)に示すように隣接させて２個並べた円形の境界部分を切り欠いた眼鏡形状のものであっても良い。また図５(ｃ)に示すように隣接する一対の固定板３２の一方の面にのみＵ字状の凹部を設け、この凹部を他方の固定板３２の平面で閉塞することによって孔部３１を形成しても良い。
【００２０】
シャックルロッド２を介して懸架部１９ａ（１９ｂ）にそれぞれ取り付けられた複数の主索１に跨って、前記シャックルロッド２の近傍において上述した構造の主索の回り止め機構３０を装着することにより、重ね合わせられた各主索１の本体部１ｂと折り返し先端部１ａとが一体にそれぞれ固定板３２の孔部３１嵌め込まれ、その周囲からそれぞれ締め付けられて固定される。そして主索１に加わる張力に起因する自転力は、そのまま固定板３２を主索１の周りで回転させようとする力として作用し、その回転モーメントは固定板３２が装着された他の主索１によって阻止される。この結果、回り止め機構３０を介して複数の主索１が相互に他の主索１の回り止め部材として作用し、各主索１がそれぞれ一括して回り止めされる。
【００２１】
従って複数本並べて設けられる主索１に、特にシャックルロッド２の近傍の該主索１の本体部１ｂと折り返し先端部１ｂとが重なり合う部位に前述した構造の回り止め機構３０を装着するだけで、簡易に主索１を回り止めすることができる。またこれに伴ってシャックルロッド２についても回り止めすることができるので、シャックルロッド２により調整された主索１の張力が変化することがない。
【００２２】
また上述した構成であれば、懸架部１９ａ（１９ｂ）に取り付けられたシャックルロッド２の取り付け位置が軸方向に異なっていても、軸方向の位置ずれに関係なく回り止め機構３０を装着することができる。また複数の孔部３１を複数列に亘って設けておけば、複数の主索１が直線上に並べて配列されない場合でも、これらの複数の主索１に跨って回り止め機構３０を装着することも容易である。
【００２３】
尚、本発明は上述した実施形態に限定されるものではない。例えば回り止め機構３０の固定板３２に設ける孔部３１の数や、その配列間隔等は、エレベータ装置の仕様に応じて設定すれば良い。また固定板３２の構成素材として木以外のものを適宜採用可能であり、要は本発明はその要旨を逸脱しない範囲で種々変形して実施することができる。
【符号の説明】
【００２４】
１  主索
１ａ  主索の先端折り返し部
１ｂ  主索の本体部
２  シャッフルロッド
３,１９ａ,１９ｂ  懸架部
１１  乗りかご
１２  釣合い錘
１４  トラクションシープ
１５  巻上機
２３  ワイヤクランプ
３０  回り止め機構
３１  孔部
３２  固定板
【図１】
0005447885.tif 000002
【図２】
0005447885.tif 000003
【図３】
0005447885.tif 000004
【図４】
0005447885.tif 000005
【図５】
0005447885.tif 000006
【図６】
0005447885.tif 000007
【図７】
0005447885.tif 000008